(57)【要約】【課題】強度が強く、見た目が楽しく美しい形のある針と、その針を打てるステープラーを提供する。【解決手段】３か所以上の針足（１２）を持つ針（２）を重ねて傾斜のついたマガジン（１）にホルダーし、マガジンの先端に隙間部（１０）を設け、針の形に合わせたドライバ（４）とクリンチャ（６）の溝（７）を設けたことを特徴とする。【選択図】図１
2015058508.tif 000002
【特許請求の範囲】
【請求項１】
上部に平面的な形と３つ以上の針足を持った針と、マガジンの先端に針の形に合わせた隙間部を持ち、マガジンの先端を除いた後部に針の重なる角度に合わせた傾斜を持ち、針１つだけを押し込むことのできるドライバと針足の位置に合わせて曲げることのできるクリンチャの溝を持ったステープラー。
【発明の詳細な説明】
【技術分野】
【０００１】
この発明は、形のある針とその針を打てるような構造をしたステープラーに関するものである。
【背景技術】
【０００２】
従来、ステープラーはとめた針を上方から見ると、線状であった。
【先行技術文献】
【特許文献】
【０００３】
【特許文献１】登録実用新案第３０５１９７１号
【発明の概要】
【発明が解決しようとする課題】
【０００４】
これは、つぎのような欠点があった。
（イ）２か所でとめるので、強度が弱い。
（ロ）シンプルであるがゆえに楽しむ余地が少ない。
本発明は、以上のような欠点をなくすためになされたものである。
【課題を解決するための手段】
【０００５】
ステープラーの針（２）の上部（１１）に平面的な形状を持たせ、３か所以上でとめることのできるように３つ以上の針足（１２）を設ける。マガジン（１）を針の形状に合わせて本体中部に設ける。本体上部にハンドル（３）を設け、ハンドルに針の形状に合わせたドライバ（４）を設ける。本体中部に針の形状に合わせたプッシャ（８）を設ける。クリンチャアーム（５）を本体下部に設け、クリンチャアームの先端にクリンチャ（６）を設ける。クリンチャの溝（７）を針足の位置に合わせて設ける。ハンドルを押すと針が折り返されるように回転軸（９）を設け、ハンドル、マガジン、クリンチャアームが回転軸によって回転するようにする。
本発明は、以上の構成よりなる形のある針を打てるステープラーである。
【発明の効果】
【０００６】
（イ）３点以上でとめるので、強度が強く、はずれにくい。
（ロ）形があることによって、見た目が美しく、楽しい。
（ハ）針に色を付けることによって、見た目が美しく、楽しい。
【図面の簡単な説明】
【０００７】
【図１】本発明の針が正三角形の場合のステープラーの本体と針の斜視図である。
【図２】本発明の針が正三角形の場合のステープラーの本体と針の分解斜視図である。
【図３】本発明の針が正三角形の場合のステープラーの針の斜視図である。
【図４】本発明の針が正三角形の場合のステープラー本体の断面図である。
【図５】本発明の針が正三角形の場合のステープラーの針を紙の束にとめた状態の表側から見た斜視図である。
【図６】本発明の針が正三角形の場合のステープラーの針を紙の束にとめた状態の裏側から見た斜視図である。
【図７】本発明の針が星形の場合のステープラーの本体と針の分解斜視図である。
【図８】本発明の針が星形の場合のステープラーの針の斜視図である。
【図９】本発明の針がハート形の場合のステープラーの本体と針の分解斜視図である。
【図１０】本発明の針がハート形の場合のステープラーの針の斜視図である。
【図１１】本発明の針がクマ形の場合のステープラーの本体と針の分解斜視図である。
【図１２】本発明の針がクマ形の場合のステープラーの針の斜視図である。
【発明を実施するための形態】
【０００８】
以下、本発明を実施するための形態について説明する。
ステープラーの針（２）の上部（１１）に描きたい形のふちをとるように平面的な形を持たせ、描く形の中心からほぼ等距離で描く形のコーナー等に針足（１２）を３か所以上上部に対して垂直に設ける。針は複数個重ねる。ふちをとるようにした形にすると、ふちの内側には空間ができる。針を重ねるときは下の針の針足の上方に上に重なるすべての針の上部がかぶらないようにする。例えば正三角形のときは正三角形の各頂点のあたりに針足を設けるので、針のふちの内側の空間に差し込むように上から次の針を重ねていく。
【０００９】
重ねた針は接着する。針が重なると、自然に傾斜のついた状態となる。また、針に色を付ける。マガジン（１）を本体中部に設け、マガジンは針の重なる傾斜角と同じ傾斜をつけるとともに、最も下の針１つを下方に押し出せるように、針の描く形と同じ形で一回り大きい形状の隙間部（１０）を設ける。マガジンの隙間部分は水平になるようにして、針が真下方向に押し出されるようにする。本体上部にハンドル（３）を設け、最も下の針を１つだけ押し出せるように、最も下の針のすべての針足の上方から力を加えられるような形をしたドライバ（４）をハンドルの先端付近に設ける。このとき、ドライバの形状は針とその重なり方によって変わり、最も下の針１つだけを押し込め、２番目以降の針には当たらない構造にする。例えば正三角形のときには正三角形の各頂点のあたりに針足を設けるので、図１に示すようにドライバは略への字形にする。これで一番下の針だけを押し込み、最も下の針のすべての針足の上方からドライバで力をかけることができる。
【００１０】
本体中部にプッシャ（８）を設け、針をマガジンの先端に押し寄せることができるようにする。プッシャはばねが取り付けられていて、ハンドルの先端付近にもう一端が取り付けられている。これによりハンドルを開くとプッシャはマガジンの後方に動き、ハンドルを閉じるとプッシャはマガジンの先端方向に動く。またプッシャの可動域を制限するためにマガジンの両側面に細長い切れ込み状の隙間が設けてあり、プッシャの両側面には切れ込み状の隙間に差し込まれるような凸部が設けてある。プッシャの先端の形は針の形に合わせて変え、針が先端に押し寄せた状態で安定するようにする。例えば針の形が正三角形の場合は図１に示すように、略チャンネル形にすることで針は押し寄せられた状態で安定する。プッシャの構造はこの構造だけでなく、公知技術を用いた構造にしてもよい。
【００１１】
クリンチャアーム（５）を本体下部に設け、クリンチャ（６）の針を折り返すための溝（７）は最も下の押し出されてくる針の針足の位置から描く形の中心付近に向かって折り返されるように数、向き、位置を決める。例えば正三角形なら正三角形の各頂点のあたりから正三角形の重心に向かって折り返されるようにするために、各頂点から重心に向かう向きで、針足より少し長い長さで、針足の幅より少し広い幅の、緩やかな逆放物線型のクリンチャを３つ設ける。
【００１２】
ハンドルを押すと針が折り返されるように回転軸（９）を設け、ハンドル、マガジン、クリンチャアームが回転軸によって回転するようにする。
【００１３】
応用例として、針の形を、星形、ハート形、リボン形、動物形、花形、キャラクター形、果物形、記号形、文字形といったように変えることもできる。そのときには合わせて針足の位置、向き、大きさや、重ね方、本体の構造も変える必要がある。また、回転軸を手前に設けたり、回転式にせず、ハンドルが上下に動くような構造にしてもよい。
【００１４】
応用例に挙げた針の形が星形の場合、図８に示すように頂点が５つとなるような星形のふちをとるように針に形を持たせ、針足を中心からなるべく均等になるように、１つの頂点と、そこから隣合わない２つの頂点の計３か所に設ける。複数の針を重ねるときは「隣の頂点に針足のない頂点」に上から重なるすべての針の上部がかぶらないように、中心から「隣の頂点に針足のない頂点」の方向にずらして重ねる。そのときの複数の針が重なる角度に合わせてマガジンの傾斜角を決める。また、図７に示すようにマガジンの隙間部も星形にする。ドライバは最も下の針１つだけを押し込み、２番目以降の針に当たらないようにするため、略M字形と小さな略台形の２つを設ける。クリンチャの溝は最も下の押し出されてくる針の針足のある３つの頂点のそれぞれの位置から中心方向に向かうようにする。プッシャは略チャンネル型の先端に略への字のへこみを持たせることで針を押し寄せて安定させられる。
【００１５】
応用例に挙げた針の形がハート形の場合、図１０に示すようにハート形のふちをとるように針の形を持たせ、針足は下の頂点に１つと、そこからハート形の中心から距離と角度がほぼ均等になるような位置に２つ設ける。複数の針を重ねるときは下の針の各針足の上方に上から重なるすべての針の上部がかぶらないようにするために、ハート形の下の頂点からハート形の中心方向に、下の針の頂点にない二つの針足の上方を上から重なる針の上部がかぶらなくなるまでずらして重ねる。そのときの複数の針が重なる角度に合わせてマガジンの傾斜角を決める。また、図９に示すようにマガジンの隙間部もハート形にする。ドライバは最も下の針１つだけを押し込み、２番目以降の針に当たらないようにするため、略への字形にして設ける。クリンチャの溝は最も下の押し出されてくる針の３つの針足のそれぞれの位置から中心方向に向かうように設ける。プッシャは略チャンネル型の先端に略二瘤形のへこみを持たせることで針を押し寄せて安定させられる。
【００１６】
応用例に挙げた針の形が動物形の例としてクマ形の場合、図１２に示すようにクマ形のふちをとるように針の形を持たせ、針足は顎の位置に１つと、各耳に１つずつ設ける。複数の針を重ねるときは下の針の各針足の上方に上から重なるすべての針の上部がかぶらないようにするために、クマの頭から顎の方向に、下の針のクマの顎の位置にある針足の上方を上から重なる針の上部がかぶらなくなるまでずらして重ねる。そのときの複数の針が重なる角度に合わせてマガジンの傾斜角を決める。また、図１１に示すようにマガジンの隙間部もクマ形にする。ドライバは最も下の針１つだけを押し込み、２番目以降の針に当たらないようにするため、クマ形の顎の周辺部分の構造のものと両耳から頭にかけての部分の構造のものの２か所を設ける。クリンチャの溝は最も下の押し出されてくる針の３つの針足のそれぞれの位置から中心方向に向かうように設ける。プッシャは略チャンネル型の先端に半円形のへこみを持たせることで針を押し寄せて安定させられる。
【００１７】
本発明は、以上のような構造である。
本発明を使用するときは従来のステープラーと同様で、紙の束（１３）などのとめたいものをマガジンとクリンチャの間にはさみ、本体上部のハンドルに下向きに力を加え、ハンドルに設けてあるドライバで最も下の針を押し込む。また、壁に紙などをとめることもできる。そのときには、クリンチャを使用せず、とめたい紙などをマガジンと壁の間にはさみ、ハンドルを押し込む。すると針足はまっすぐのまま画鋲のように紙などをとめることができる。
【符号の説明】
【００１８】
１    マガジン
２    針
３    ハンドル
４    ドライバ
５    クリンチャアーム
６    クリンチャ
７    クリンチャの溝
８    プッシャ
９    回転軸
１０    隙間部
１１    針の上部
１２    針足
１３    束ねた紙
【図１】
2015058508.tif 000003
【図２】
2015058508.tif 000004
【図３】
2015058508.tif 000005
【図４】
2015058508.tif 000006
【図５】
2015058508.tif 000007
【図６】
2015058508.tif 000008
【図７】
2015058508.tif 000009
【図８】
2015058508.tif 000010
【図９】
2015058508.tif 000011
【図１０】
2015058508.tif 000012
【図１１】
2015058508.tif 000013
【図１２】
2015058508.tif 000014